(57)【特許請求の範囲】
【請求項１】
起立して溝部を形成する注出筒片を有する本体キャップを組付けた継続使用容器と、詰め替え用内容物を収納する容器体を有する詰め替え容器の組合せであって、前記容器体の口筒部に結合蓋を組付け、該結合蓋に、倒立姿勢で前記本体キャップに嵌入組付きするガイド筒と、前記口筒部を塞ぐ底壁に弱化部を介して中栓片を設け、該中栓片を、平板状の本体部の上面周端部に突き当たり部を立設して構成し、前記注出筒片よりも低い押上げ片を、先端を前記注出筒片とは反対側に位置させて、前記注出筒片の溝部の開放部側に起立設し、前記注出筒片および押上げ片の突き当たりにより、前記中栓片が弱化部を破断しながら全開姿勢まで傾動変位して開口を形成するものとした継続使用容器と詰め替え容器の組合せ。
【請求項２】
結合蓋を、着脱自在に組付く捨て栓で覆った請求項１に記載の継続使用容器と詰め替え容器の組合せ。
【請求項３】
押上げ片を、注出筒片が形成する溝部を左右に区画する平板状とした請求項１または２に記載の継続使用容器と詰め替え容器の組合せ。
【請求項４】
突き当り部を、短筒片状とした請求項１〜３のいずれか１項に記載の継続使用容器と詰め替え容器の組合せ。
【請求項５】
突き当たり部を、弾性に富んだ板片状とした請求項１〜３のいずれか１項に記載の継続使用容器と詰め替え容器の組合せ。
【請求項６】
ガイド筒の上半部分に複数の割り溝を設けた請求項１〜５のいずれか１項に記載の継続使用容器と詰め替え容器の組合せ。
【発明の詳細な説明】
【技術分野】
【０００１】
本発明は、洗剤、柔軟剤、漂白剤、入浴剤、食品、化粧品、薬品等の詰め替え内容物の継続使用容器と詰め替え容器の組合せに関するもので、さらに詳言すれば、起立した樋状の注出筒片を有する継続使用容器に対して、詰め替え容器から詰め替え内容物を好適に充填する継続使用容器と詰め替え容器の組合せに関するものである。
【背景技術】
【０００２】
容器本体の上端開口部から、内容物の注出用の樋状注出筒片を突出させた注出容器が数多く利用されており、この種の容器は計量機能部を付帯させているのが一般であるので、その分、価格が高いものとなっている。
【０００３】
このため、この種の容器を継続使用するものとし、補充すべき内容物は、安価な詰め替え容器に収納し、この詰め替え容器に収納した内容物を、継続使用容器に移し替えることにより、商品の価格を、収納容器の価格に相当する分だけ安価となるようにしている。また、詰め替え容器は、樹脂量減や減容化されることで環境にやさしいものとなる。
【０００４】
この詰め替え容器から継続使用容器への内容物の詰め替えに際して、この内容物の詰め替えは、継続使用容器に対する詰め替え容器からの内容物の注ぎ込みとなるため、液跳ねや、液ダレ等により周囲を汚してしまうことがあり、またこの内容物の注ぎ込みが終了するまで、詰め替え容器を保持し続けなければならず、詰め替え作業が気苦労の多いものとなる、と云う不満があった。
【０００５】
この不満を解消する従来技術の一つとして、特開２００４−０９９０８２公報に示された、容器開口部に管状のノズルが突出するトランジッションキャップを備えた繰り返し使用容器に充填する詰め替え用の内容物を収納した詰め替え容器で、詰め替え容器本体を備えると共に、この容器開口縁部に沿って備えられるバックと、バックアップリングに嵌め込まれて繰り返し使用容器のトランジッションキャップの開口部周縁に着脱可能に嵌合し、ノズルが挿抜自在に挿通されるフィトジョイントと、詰め替え容器本体の開口を密封し、フィトジョイントに挿通されるノズルによって開閉される内蓋と、詰め替え容器本体の開口の内蓋外側を覆う外蓋を備える構成のものが知られている。
【０００６】
上記した従来技術にあっては、繰り返し使用容器のトランジッションキャップに対して、詰め替え容器のフィトジョイントが装着された状態で内蓋が開放されるので、内容物の液跳ねや液ダレが無いと共に、繰り返し使用容器に対して詰め替え容器が倒立姿勢で組付け保持されるので、内容物の詰め替え作業中に、詰め替え容器を保持し続ける必要がなくなる。
【０００７】
しかしながら、上記した従来技術にあっては、ノズルで押上げられて内容物の詰め替え口を形成する内蓋が、単純な平板構造であるため、この内蓋を押上げているノズルの上端開口部を殆ど塞ぐ姿勢で位置することになり、このため繰り返し使用容器に対する詰め替え容器からの内容物の詰め替え動作が円滑に達成されない、と云う問題があった。
【０００８】
すなわち、ノズルの上端開口部が内蓋により殆ど塞がれるので、詰め替えされる内容物は、ノズルの両側を通って流動することになるが、この通路は繰り返し使用容器から詰め替え容器への空気の「逃げ」通路ともなるため、詰め替え内容物と繰り返し使用容器からの詰め替えが円滑に達成されない、と云う問題があった。
【先行技術文献】
【特許文献】
【０００９】
【特許文献１】特開２００４−０９９０８２公報
【発明の概要】
【発明が解決しようとする課題】
【００１０】
そこで、本発明は、上記した従来技術における問題点を解消すべく創案されたもので、起立した樋状の注出筒片を有する継続使用容器と詰め替え内容物を収納した詰め替え容器の組合せにおいて、継続使用容器側により押上げられて開口を形成する詰め替え容器側の中栓片が、注出筒片の上端開口部を塞がないようにすることを技術的課題とし、もって詰め替え内容物の詰め替え動作を円滑に達成することを目的とする。
【課題を解決するための手段】
【００１１】
上記技術的課題を解決するための本発明の主たる構成は、
起立して溝部を形成する注出筒片を有する本体キャップを組付けたボトル状の継続使用容器と、詰め替え用内容物を収納する容器体を有する詰め替え容器の組合せであること、
詰め替え容器の容器体の口筒部に結合蓋を組付けること、
この結合蓋に、倒立姿勢で継続使用容器の本体キャップに嵌入組付きするガイド筒と、詰め替え容器の口筒部を塞ぐ底壁に弱化部を介して中栓片を設けること、
この中栓片を、平板状の本体部の上面周端部に突き当たり部を立設して構成すること、
注出筒片よりも低い押上げ片を、先端を注出筒片とは反対側に位置させて、注出筒片の溝部の開放部側に起立設すること、継続使用容器の注出筒片および押上げ片の突き当たりにより、中栓片が弱化部を破断しながら全開姿勢まで傾動変位して開口を形成するものとしたこと、
にある。
【００１２】
倒立させた詰め替え容器を、そのガイド筒を本体キャップに上方から嵌入させながら押し込んで行くと、詰め替え容器の中栓片に対する継続使用容器の注出筒片の突き当りにより、中栓片は弱化部を破断しながら傾動変位し、さらに詰め替え容器の継続使用容器への押し込みを進めると、継続使用容器の押上げ片が中栓片の突き当たり部に突き当たって押上げ、これにより中栓片は、破断し残った弱化部をヒンジ部として、全開姿勢まで傾動変位して、形成される開口の全域を開放する。
【００１３】
詰め替え容器のガイド筒を継続使用容器の本体キャップに押し込んだ状態では、継続使用容器に対する詰め替え容器の倒立姿勢での組付きが、本体キャップに対するガイド筒の嵌入組付きにより保持される。
【００１４】
中栓片を、底壁に弱化部を介して設けたので、中栓片の周端部の位置を、注出筒片および押上げ片に先端に対して正確に対向位置させることができると共に、その傾動範囲を充分に大きくすることが容易である。
【００１５】
本発明の別の構成は、上記した主たる構成に加えて、詰め替え容器の結合蓋を、着脱自在に組付く捨て栓で覆った、ものである。
【００１６】
結合蓋を、着脱自在に組付く捨て栓で覆ったものにあっては、中栓片の誤った破断開封が引き起こされるのを防止することができ、また詰め替え容器が消費者の手元に届く、格納・搬送状態で、結合蓋を覆って、結合蓋内にホコリ等の侵入を阻止するので、商品としての詰め替え容器を衛生的に取扱うことができる。
【００１７】
また、本発明の別の構成は、上記した主たる構成に加えて、押上げ片を、注出筒片が形成する溝部を左右に区画する平板状とした、ものである。
【００１８】
押上げ片を、注出筒片が形成する溝部を左右に区画する平板状としたものにあっては、内容物が最も流下し易いと思われる溝部内において、押上げ片が整流板として機能することになる。
【００１９】
また、本発明の別の構成は、上記した主たる構成に加えて、突き当り部を、短筒片状とした、ものである。
【００２０】
突き当り部を、短筒片状としたものにあっては、中栓片の本体部上面から突出した突き当たり部の高さ分に相応させて、中栓片の傾動開角度を、９０°よりも大きくさせることになる。
【００２１】
また、本発明の別の構成は、上記した主たる構成に加えて、突き当たり部を、弾性に富んだ板片状とした、ものである。
【００２２】
突き当たり部を、弾性に富んだ板片状としたものにあっては、押上げ片の突き当たり部に対する突き当たりにより、この突き当たり部を弾性変形させた状態で中栓片を開方向に傾動変位させるので、中栓片の傾動開角度が９０°になると、突き当たり部の弾力により、中栓片を９０°以上に傾動変位させることになる。
【００２３】
また、本発明の別の構成は、上記した主たる構成に加えて、ガイド筒の上半部分に複数の割り溝を設けた、ものである。
【００２４】
ガイド筒の上半部分に複数の割り溝を設けたものにあっては、継続使用容器の本体キャップに嵌入組付きするガイド筒の上半部分の縮径弾性変形が容易となるので、ガイド筒の本体キャップに対する嵌入組付きが無理なく達成される。
【発明の効果】
【００２５】
本発明は、上記した構成となっているので、以下に示す効果を奏する。
本発明の主たる構成にあっては、継続使用容器に対する詰め替え容器の倒立姿勢での組付きが、本体キャップに対するガイド筒の嵌入組付きにより保持されるので、内容物の詰め替え作業が手間を掛けることなく、簡単にかつ安全に達成されることになる。
【００２６】
また、中栓片の周端部の位置を、注出筒片および押上げ片に先端に対して正確に対向位置させることができると共に、その傾動範囲を充分に大きくすることが容易であるので、弱化部を破断しての開口の形成が確実であると共に、中栓片で開口の一部を塞ぐことなく、開口全域を開放させるので、充分な流通口を形成するので、内容物の速やかな詰め替えを達成することができる。
【００２７】
結合蓋を、着脱自在に組付く捨て栓で覆ったものにあっては、中栓片の誤った破断開封が引き起こされるのを防止するので、詰め替え容器の安全性を確保することができると共に、詰め替え容器が消費者の手元に届く、格納・搬送状態で、結合蓋を覆って、結合蓋内にホコリ等の侵入を阻止するので、商品としての詰め替え容器を衛生的に取扱うことができ、これにより商品としての詰め替え容器を安心して購入することができる。
【００２８】
押上げ片を、注出筒片が形成する溝部を左右に区画する平板状としたものにあっては、注出筒片が形成する溝部内において、押上げ片が整流板として機能するので、内容物の充填流動を円滑で迅速なものとすることができる。
【００２９】
突き当り部を、短筒片としたものにあっては、中栓片の本体部上面から突出した突き当たり部の高さ分に相応させて、中栓片の傾動開角度を、９０°よりも大きくさせることになり、これにより形成される開口の全開状態を確実に得ることができる。
【００３０】
突き当たり部を、弾性に富んだ弾性板片としたものにあっては、中栓片の傾動開角度が９０°になると、突き当たり部の弾力により、中栓片を９０°以上に傾動変位させることになり、これにより形成される開口の全開状態を確実に得ることができる。
【００３１】
ガイド筒の上半部分に複数の割り溝を設けたものにあっては、ガイド筒の本体キャップに対する嵌入組付きが無理なく達成されるので、継続使用容器に対する詰め替え容器の倒立組付けを、無理なく円滑に達成できる。
【図面の簡単な説明】
【００３２】
【図１】本発明の詰め替え容器の一実施形態例の要部を示す、一部縦断面図である。
【図２】本発明の継続使用容器の一実施形態例の要部を示す、一部縦断面図である。
【図３】本発明の一実施例の組付け開始状態を示す、一部縦断面図である。
【図４】図３に示した実施例の詰め替え状態を示す、一部縦断面図である。
【図５】図４中の開口状態を示す、要部拡大平面図である。
【図６】本発明の他の実施例の組付け開始状態を示す、一部縦断面図である。
【図７】図６に示した実施例の詰め替え状態を示す、一部縦断面図である。
【発明を実施するための形態】
【００３３】
以下、本発明の実施形態を、図面を参照しながら説明する。
本発明における詰め替え容器１（図１参照）は、洗剤や入浴剤等の詰め替え用内容物を収納するボトル状に構成された容器体２と、この容器体２の口筒部３に、密にアンダーカット組付けされた結合蓋４とから構成されている。
【００３４】
結合蓋４は、容器体２の口筒部３に外嵌してアンダーカット結合する組付き筒５の上端から内鍔状の頂壁６を連設し、この頂壁６の上面に外筒７と内筒８が間隔を開けて起立設されると共に、頂壁６の内周端縁に垂下筒９を介して口筒部３を塞ぐ底壁１１が連設され、この底壁１１の中央部に円形の弱化部１５を介して、円板状の本体部１３の上面周端部に突き当たり部１４を起立設した中栓片１２が連設されて構成されている。
【００３５】
内筒８には、やや肉薄な円筒状のガイド筒１６が外嵌固定されており、内筒８よりも上方に位置するガイド筒１６の上半部分には、複数の割り溝１７が設けられていて、このガイド筒１６に上半部分が縮径変形し易いようにしている。
【００３６】
外筒７には、有頂円筒形状をした捨て栓１８が、ガイド筒１６全体を覆う形態で、着脱自在に嵌入組付けされている。
【００３７】
なお、頂壁６の下面に垂下設されて、容器体２の口筒部３に密嵌入するシール筒片１０は、結合蓋４の口筒部３に対する密な組付きを高めるものである。
【００３８】
本発明における継続使用容器１９（図２参照）は、ボトル状の容器本体２０の口部２１に密に組付く本体キャップ２２と、この本体キャップ２２に着脱可能に螺合して、容器本体２０を開閉する計量キャップ３２を有している。
【００３９】
本体キャップ２２（図２参照）は、容器本体２０の口部２１に密に嵌入する嵌入筒２３と、この嵌入筒２３の底板２４に立設された樋状の注出筒片２６と、嵌入筒２３の上端に外鍔状に連設され、取付け筒３０を起立設した頂板２９と、この頂板２９の外周端から垂下設された装着筒３１とから構成されており、注出筒片２６はＵ字状の溝部２７を形成している。
【００４０】
底板２４は、一方側にやや偏った箇所に下降傾斜したテーパ壁状をしており、その中央部分に開設された注出開口２５の開口縁に、注出筒片２６が起立設されており、この注出筒片２６の開口側部の下端が位置する底板２４の最下位の部分が、容器本体２０内への内容物の戻り口となっている。
【００４１】
また、この底板２４には、注出開口２５を前後に横断する形態でかつ溝部２７を左右に区画する形態で、注出筒片２６よりも少し低い平板状の押上げ片２８（図５参照）が起立設されており、この押上げ片２８の先端は、注出筒片２６の先端とは反対に後側に位置（図２参照）している。
【００４２】
取付け筒３０は、計量キャップ３２を螺合組付けする部分であり、装着筒３１は、本体キャップ２２を容器本体２０にアンダーカット結合させる部分である。
【００４３】
計量キャップ３２（図２参照）は、本体キャップ２２に組付いた状態で下半分を嵌入筒２３内に挿入する有頂筒形状をした計量筒３３と、この計量筒３３の略中央高さ位置から外鍔状に周設されたフランジ壁３４と、このフランジ壁３４の周端から垂下設されて、取付け筒３０に密に螺合する螺合筒３５とから構成されている。
【００４４】
次に、詰め替え容器１から継続使用容器１９への内容物の詰め替え動作を説明する。
計量キャップ３２を取外して正立姿勢にある継続使用容器１９の本体キャップ２２の嵌入筒２３に、捨て栓１８を取去って倒立姿勢にした詰め替え容器１のガイド筒１６を嵌入組付け（図３参照）して行く。
【００４５】
この継続使用容器１９に対する詰め替え容器１の組付き姿勢は、嵌入筒２３に対するガイド筒１６の嵌入にガイドされて達成されるので、嵌入筒２３に対するガイド筒１６の嵌入が進むに従って、継続使用容器１９に対する詰め替え容器１の倒立姿勢での組付きを保持する力が強められる。
【００４６】
図示実施例の場合、嵌入筒２３が下方に縮径した筒構造となっているので、嵌入筒２３に対するガイド筒１６の嵌入が進むに従って、嵌入筒２３からガイド筒１６に作用する締付け力が強くなるが、割り溝１７の作用により、ガイド筒１６が無理なく縮径変形できるので、ガイド筒１６の嵌入筒２３に対する嵌入組付きは、無理なく安定的に達成される。
【００４７】
嵌入筒２３に対するガイド筒１６の嵌入組付きにより、注出筒片２６の先端が中栓片１２の突き当たり部１４もしくは弱化部１５付近の底壁１１部分に突き当たり（図３および図６参照）、弱化部１５に破断力を作用させるようになる。
【００４８】
嵌入筒２３に対するガイド筒１６の嵌入組付きがさらに進行すると、先ず注出筒片２６からの押上げ力作用により、中栓片１２が上方に押上げられて弱化部１５を破断しながら傾動変位して、底壁１１に開口Ｋが形成し始め、さらに嵌入筒２３に対するガイド筒１６の組付きを推し進めると、押上げ片２８が中栓片１２の突き当たり部１４に突き当たって押上げる状態となり、中栓片１２は、破断していない後側の弱化部１５を「ヒンジ」として、さらに「開」方向に傾動変位する。
【００４９】
押上げ片２８による突き当たり部１４に対する押上げが更に進んで、中栓片１２の開角度が９０°以上となると、押上げ片２８の突き当たり部１４に対する突き当りが外れた状態（図４および図７参照）となり、中栓片１２の「開」方向への傾動変位は停止するが、９０°以上に傾動変位した中栓片１２の姿勢は、突き当たり部１４の押上げ片２８に対する突き当たりにより保持され、開口Ｋはその全域が完全に開放された状態に保持される。
【００５０】
図３および図４に示した実施例の場合、突き当たり部１４は突出高さの低い変形し難い短筒片１４ａで構成されているが、中栓片１２の９０°以上の開角度の程度は、この短筒片１４ａの突出高さに従って設定されることになる。
【００５１】
図６および図７に示した実施例の場合、突き当たり部１４は複数の弾性変形し易い弾性板片１４ｂを本体部１３の周端部に沿って配列して構成されているが、中栓片１２の傾動角度が９０°になると、押上げ片２８により押圧されて弾性変形している弾性板片１４ｂの反発力により、中栓片１２を９０°以上に無理なく傾動変位させることになり、中栓片１２の開角度をより大きなものとする。
【００５２】
形成された開口Ｋは、図５に示すように、傾動変位した中栓片１２により塞がれることなく、その全域を充分に開放した状態となり、内容物Ｎが最も流下し易いと思われる注出筒片２６の溝部２７内を、平板状の押上げ片２８が左右に区画するので、この押上げ片２８が流下する内容物Ｎに対して効果的に整流機能を発揮する。
【００５３】
なお、開口Ｋ内は、注出筒片２６により区画された状態となるので、内容物Ｎは流下し易い開口Ｋ域部分を通り、置換空気はそれ以外の開口Ｋ域部分を通ることにより、「息つき」を生じることなく、円滑な内容物Ｎの詰め替え動作を得ることができる。
【００５４】
また、図示実施例の場合、図４および図７に示されるように、詰め替え容器１の継続使用容器１９に対する嵌合組付き姿勢は、ガイド筒１６の嵌入筒２３に対する嵌入組付きだけではなく、詰め替え容器１の外筒７が継続使用容器１９の取付け筒３０に対して外嵌組付きすることによっても保持されているので、継続使用容器１９に対する詰め替え容器１の倒立姿勢での組付きが、より安定して維持されることになる。
【産業上の利用可能性】
【００５５】
以上説明したように、本発明における継続使用容器と詰め替え容器の組合せは、詰め替え用の開口を充分に大きく形成することができるものであり、一つしか形成することのできない開口により詰め替えをする技術として、幅広い利用展開が期待できる。
【符号の説明】
【００５６】
１  ；詰め替え容器
２  ；容器体
３  ；口筒部
４  ；結合蓋
５  ；組付き筒
６  ；頂壁
７  ；外筒
８  ；内筒
９  ；垂下筒
１０；シール筒
１１；底壁
１２；中栓片
１３；本体部
１４；突き当たり部
１４ａ；短筒片
１４ｂ；弾性板片
１５；弱化部
１６；ガイド筒
１７；割り溝
１８；捨て栓
１９；継続使用容器
２０；容器本体
２１；口筒
２２；本体キャップ
２３；嵌入筒
２４；底板
２５；注出開口
２６；注出筒片
２７；溝部
２８；押上げ片
２９；頂板
３０；取付け筒
３１；装着筒
３２；計量キャップ
３３；計量筒
３４；フランジ壁
３５；螺着筒
Ｋ  ；開口
Ｎ  ；内容物
【図１】
0005483164.tif 000002
【図２】
0005483164.tif 000003
【図３】
0005483164.tif 000004
【図４】
0005483164.tif 000005
【図５】
0005483164.tif 000006
【図６】
0005483164.tif 000007
【図７】
0005483164.tif 000008